(57)【要約】【課題】従来の空気調和機では、回転軸に巻回されるフィルタと壁部との間の隙間が大きくなって、吸込口から吸い込まれた室内空気が、フィルタを通過せずに当該隙間を通過したり、当該隙間から風下側に塵埃が落下する問題がある。【解決手段】上側回転軸４２よりも第１壁部２４側に、フィルタ３を案内する上側案内部材４４が配置されており、フィルタ３が、上側案内部材４４と第１壁部２４との間を通過したあとで、上側回転軸４２に巻回される。【選択図】図５
2016125702.tif 000002
【特許請求の範囲】
【請求項１】
吸込口を有するケーシングと、
前記吸込口に対向するように配置され、その少なくとも一端が回転軸に巻回されるフィルタと、
前記回転軸を回転駆動する駆動部と、
前記回転軸が回転することによって移動する前記フィルタから塵埃を除去する塵埃除去手段と、
前記回転軸の近傍に配置される壁部とを備え、
前記回転軸よりも前記壁部側に、前記フィルタを案内する案内部材が配置されており、
前記フィルタが、前記案内部材と前記壁部との間を通過したあとで、前記回転軸に巻回されることを特徴とする空気調和機。
【請求項２】
前記案内部材は、回転可能な軸部材であることを特徴とする請求項１に記載の空気調和機。
【請求項３】
前記フィルタは、前記吸込口に対向するように延在する延在部分を有しており、
前記回転軸が、前記延在部分よりも風下側に配置されることを特徴とする請求項１または２に記載の空気調和機。
【請求項４】
前記フィルタおよび前記回転軸は、前記ケーシングの前面が開いた状態において、前方に取り外されるものであり、
前記駆動部は、前記回転軸の鉛直下方に配置される、または、前記回転軸の下方かつ前記ケーシングの背面側に配置されることを特徴とする請求項３に記載の空気調和機。
【請求項５】
前記フィルタは、前記吸込口に対向するように延在する延在部分を有しており、
前記回転軸の軸中心と前記延在部分との距離が、巻き取り最大時における前記回転軸のフィルタ巻回径よりも大きいことを特徴とする請求項１−４のいずれかに記載の空気調和機。
【発明の詳細な説明】
【技術分野】
【０００１】
本発明は、フィルタ清掃機構を備える空気調和機に関する。
【背景技術】
【０００２】
従来から、吸込口から吸い込んだ室内空気に含まれる塵埃が熱交換器へと流れないように、熱交換器よりも風上側にフィルタが配置された空気調和機（室内機）が知られている。特に、近年では、フィルタに付着した塵埃を自動で除去するフィルタ清掃機構を備えた空気調和機が提供されている。例えば、特許文献１には、吸込口に対向するように配置され、端部が回転軸１２に巻回されるフィルタ５と、フィルタ５に接触するように配置された塵埃除去部材７とを有する空気調和機が記載されている。この空気調和機では、フィルタ５が回転軸１２に巻き取られることによってフィルタ５が移動し、その際に、塵埃除去部材７によって、フィルタ５に付着した塵埃が除去される。
【先行技術文献】
【特許文献】
【０００３】
【特許文献１】特開２００８−１５１４２６号公報
【発明の概要】
【発明が解決しようとする課題】
【０００４】
上記の空気調和機では、フィルタ５が巻回される回転軸１２の近傍に、塵埃収納部１８を形成する壁部が配置されており、回転軸１２と壁部との間に回転軸１２に巻回されたフィルタ５が配置される構成とされている。ここで、回転軸１２と壁部との間の距離は、フィルタ５の巻き取り最大時において、回転軸１２に巻回されるフィルタ５の外周が壁部に接触しないように、所定以上離しておく必要がある。しかし、回転軸１２に巻回されるフィルタ５の巻回径は、巻き取り動作に応じて変化するものであるため、空調運転時やフィルタ５の巻き取り動作時など、回転軸１２に巻回されるフィルタ５の巻回径が小さい場合には、回転軸１２に巻回されるフィルタ５と壁部との間の隙間が大きくなって、吸込口から吸い込まれた室内空気がフィルタ５を通過せずに当該隙間を通過したり、当該隙間から風下側に塵埃が落下する問題がある。
【０００５】
そこで、本発明の目的は、フィルタと壁部との間の隙間を適切な大きさに保つことができる空気調和機を提供することである。
【課題を解決するための手段】
【０００６】
第１の発明にかかる空気調和機は、吸込口を有するケーシングと、前記吸込口に対向するように配置され、その少なくとも一端が回転軸に巻回されるフィルタと、前記回転軸を回転駆動する駆動部と、前記回転軸が回転することによって移動する前記フィルタから塵埃を除去する塵埃除去手段と、前記回転軸の近傍に配置される壁部とを備え、前記回転軸よりも前記壁部側に、前記フィルタを案内する案内部材が配置されており、前記フィルタが、前記案内部材と前記壁部との間を通過したあとで、前記回転軸に巻回されることを特徴とする。
【０００７】
この空気調和機では、フィルタが巻回される回転軸よりも壁部側に、フィルタを案内する案内部材が配置されており、フィルタが、案内部材と壁部との間を通過したあとで、回転軸に巻回されるので、回転軸のフィルタ巻回径に影響されることなく、フィルタと壁部との隙間を適切な大きさに保つことができる。したがって、回転軸に巻回されるフィルタと壁部との間の隙間が大きくなって、吸込口から吸い込まれた空気がフィルタを通過せずに当該隙間を通過したり、当該隙間から風下側に塵埃が落下するのを防止できる。
【０００８】
第２の発明にかかる空気調和機は、第１の発明にかかる空気調和機において、前記案内部材は、回転可能な軸部材であることを特徴とする。
【０００９】
この空気調和機では、案内部材は、回転可能な軸部材であるので、案内部材がフィルタの巻き取り又は送り出しの抵抗になるのを抑制できる。
【００１０】
第３の発明にかかる空気調和機は、第１または第２の発明にかかる空気調和機において、前記フィルタは、前記吸込口に対向するように延在する延在部分を有しており、前記回転軸が、前記延在部分よりも風下側に配置されることを特徴とする。
【００１１】
この空気調和機では、吸込口に対向するように配置されたフィルタよりも風下側に回転軸が配置されるので、回転軸に巻回されるフィルタに塵埃が付着するのを防止できる。
【００１２】
第４の発明にかかる空気調和機は、第３の発明にかかる空気調和機において、前記フィルタおよび前記回転軸は、前記ケーシングの前面が開いた状態において、前方に取り外されるものであり、前記回転軸は、前記延在部分よりも下方に配置されており、前記駆動部は、前記回転軸の鉛直下方に配置される、または、前記回転軸の下方かつ前記ケーシングの背面側に配置されることを特徴とする。
【００１３】
この空気調和機では、フィルタが取り外される際に、駆動部が取り外しの邪魔になるのを防止できる。
【００１４】
第５の発明にかかる空気調和機は、第１−第４のいずれかの発明にかかる空気調和機において、前記フィルタは、前記吸込口に対向するように延在する延在部分を有しており、前記回転軸の軸中心と前記延在部分との距離が、巻き取り最大時における前記回転軸のフィルタ巻回径よりも大きいことを特徴とする。
【００１５】
この空気調和機では、回転軸に巻き取られたフィルタと、吸込口に対向するように配置されたフィルタとが接触するのを防止できる。
【発明の効果】
【００１６】
以上の説明に述べたように、本発明によれば、以下の効果が得られる。
【００１７】
第１の発明では、フィルタが巻回される回転軸よりも壁部側に、フィルタを案内する案内部材が配置されており、フィルタが、案内部材と壁部との間を通過したあとで、回転軸に巻回されるので、回転軸のフィルタ巻回径に影響されることなく、フィルタと壁部との隙間を適切な大きさに保つことができる。したがって、回転軸に巻回されるフィルタと壁部との間の隙間が大きくなって、吸込口から吸い込まれた空気がフィルタを通過せずに当該隙間を通過したり、当該隙間から風下側に塵埃が落下するのを防止できる。
【００１８】
第２の発明では、案内部材は、回転可能な軸部材であるので、案内部材がフィルタの巻き取り又は送り出しの抵抗になるのを抑制できる。
【００１９】
第３の発明では、吸込口に対向するように配置されたフィルタよりも風下側に回転軸が配置されるので、回転軸に巻回されるフィルタに塵埃が付着するのを防止できる。
【００２０】
第４の発明では、フィルタが取り外される際に、駆動部が取り外しの邪魔になるのを防止できる。
【００２１】
第５の発明では、回転軸に巻き取られたフィルタと、吸込口に対向するように配置されたフィルタとが接触するのを防止できる。
【図面の簡単な説明】
【００２２】
【図１】本発明の実施形態にかかる空気調和機の外観図である。
【図２】図１に示す空気調和機の断面図である。
【図３】図２に示すフィルタ機構の斜視図である。
【図４】図２に示すフィルタ機構の断面図である。
【図５】（ａ）は、図４に示すＡ部拡大図であり、（ｂ）は、図４に示すＢ部拡大図である。
【図６】（ａ）は、上側回転軸と駆動ギアとの位置関係を説明する図であり、（ｂ）は、下側回転軸と駆動ギアとの位置関係を説明する図である。
【発明を実施するための形態】
【００２３】
以下、図面を参照しつつ、本発明の実施形態に係る空気調和機について説明する。
【００２４】
［室内機の全体構成］
図１に示すように、室内機（空気調和機）１は、全体として一方向に細長い形状を有しており、その長手方向が水平となるように室内の壁面に据え付けられる。室内機１は、図示しない室外機と冷媒配管を介して接続されて空気調和機を構成しており、室内の冷房運転及び暖房運転を含む空調運転に加えて、フィルタを自動で清掃するフィルタ清掃運転を行うことができる。なお、以下の説明において、室内機１が取り付けられる壁から突出する方向を「前方」と称し、その反対の方向を「後方」と称する。また、室内機１の長手方向を「左右方向」と称する。
【００２５】
図２に示すように、室内機１は、ケーシング２、フィルタ３を有するフィルタ機構１０、送風ファン４、熱交換器５および電装品箱（図示省略）などを有している。フィルタ機構１０、送風ファン４、熱交換器５および電装品箱は、ケーシング２の内部に収容されている。
【００２６】
ケーシング２の上面には吸込口２ａが形成されており、ケーシング２の下面には吹出口２ｂが形成されている。吹出口２ｂの近傍には、上下方向の風向きの調整と、吹出口２ｂの開閉を行う水平フラップ７が配置されている。また、ケーシング２の前面は、前面パネル６によって覆われている。この前面パネル６は、上端側を支点にして、下端側がケーシング２に対して離れるように回動することによって、ケーシング２の前面を開く。
【００２７】
フィルタ３は、樹脂製の糸で平織り又は綾織りされた網であり、吸込口２ａに対向するように配置されている。このフィルタ３は、一般のフィルタにみられるような補強用の縁やリブが設けられていないため、自身で安定した形状を維持することができない。このため、フィルタ３は、後述するフィルタガイド４１に支持されることによって形状を保っている。
【００２８】
送風ファン４は、クロスフローファンであり、その軸方向が水平方向に沿うように配置されている。この送風ファン４は、上方から空気を吸い込んで、下方に吹き出すように構成されている。熱交換器５は、フィルタ３よりも風下側に設けられ、送風ファン４の前方、上方、及び後方を取り囲むように配置されている。この熱交換器５は、ケーシング２内の前側に配置され、送風ファン４の前方及び上方を覆う前面熱交換器５ａと、前面熱交換器５ａよりもケーシング２内の背面側に配置され、送風ファン４の上方及び後方を覆う背面熱交換器５ｂとを有している。図２に示すように、前面熱交換器５ａおよび背面熱交換器５ｂは、上に凸（断面視において逆Ｖ字状）になるように配置されている。
【００２９】
この室内機１では、空調運転時において、送風ファン４が駆動されることによって、室内空気が吸込口２ａから吸い込まれて、吸い込まれた空気は、フィルタ３を通過して空気中に含まれる塵埃が除去されたあと、熱交換器５において加熱または冷却されて、吹出口２ｂから吹き出されるようになっている。
【００３０】
［フィルタ機構］
フィルタ機構１０は、フィルタ３とフィルタ３を自動的に清掃するフィルタ清掃機構とを有する機構であり、フィルタ３を自動的に清掃するフィルタ清掃運転を実行するためのものである。この室内機１では、空調運転終了時や、室内機１に付属されたリモコンによってフィルタ清掃運転の開始指示を受けたときなどに、フィルタ清掃運転が行われる。以下、このフィルタ機構１０について詳しく説明する。
【００３１】
フィルタ機構１０は、図３及び図４に示すように、メインガイド２０、フィルタユニット４０およびダストボックス５０を有している。
【００３２】
メインガイド２０は、図３に示すように、左右方向に延在する部材であって、ケーシング２に固定されている。メインガイド２０は、左保持部２１、右保持部２２、及び中央保持部２３を有しており、左保持部２１と中央保持部２３との間、および、右保持部２２と中央保持部２３との間に、それぞれフィルタユニット４０が着脱可能に取り付けられている。左保持部２１と中央保持部２３との間、及び、右保持部２２と中央保持部２３との間には、それぞれ、格子状に形成された補強枠（図示省略）が配置され、一定の強度が確保されている。フィルタユニット４０よりも後方側には、フィルタユニット４０に対向する第１壁部２４（図４参照）が設けられている。また、メインガイド２０には、後述する上側回転軸４２及び下側回転軸４３をそれぞれ駆動する第１駆動機構３１及び第２駆動機構３２が取り付けられている。第１駆動機構３１は、駆動モータ３３と、駆動モータ３３の駆動力を上側回転軸４２に伝達する駆動ギア（駆動部）３４（図６（ａ）参照）とを有する。また、第２駆動機構３２は、駆動モータ３５と、駆動モータ３５の駆動力を下側回転軸４３に伝達する駆動ギア（駆動部）３６（図６（ｂ）参照）とを有する。駆動モータ３３及び駆動モータ３５は、正逆回転が可能なモータである。
【００３３】
フィルタユニット４０は、図４に示すように、フィルタ３、フィルタガイド４１、上側回転軸４２、下側回転軸４３、上側案内部材４４、下側案内部材４５を有している。フィルタガイド４１は、フィルタ３を支持するものであり、左右２つの枠部の間に、格子状に形成された補強枠（図示省略）が配置され、一定の強度が確保されている。上述の上側回転軸４２、下側回転軸４３および上側案内部材４４は、フィルタガイド４１に取り付けられており、下側案内部材４５は、フィルタガイド４１と一体的に形成されている。
【００３４】
フィルタ３は、その両端が上側回転軸４２と下側回転軸４３のそれぞれに巻回される。上側回転軸４２及び下側回転軸４３は、水平方向（左右方向）に沿って延びた回転可能な円柱または円筒形状の軸部材であり、上側回転軸４２は、第１壁部２４の近傍に配置され、下側回転軸４３は、フィルタユニット４０の下方側に配置される第２壁部５２の近傍に配置される。図６（ａ）、（ｂ）に示すように、上側回転軸４２及び下側回転軸４３の端部には、それぞれローラギア４２ａ及びローラギア４３ａが取り付けられており、ローラギア４２ａは、第１駆動機構３１の駆動ギア３４と噛み合い、ローラギア４３ａは、第２駆動機構３２の駆動ギア３６と噛み合っている。
【００３５】
このフィルタ機構１０では、第１駆動機構３１の駆動モータ３３及び第２駆動機構３２の駆動モータ３５が駆動されることによって、上側回転軸４２がフィルタ３を送り出す送り出し側軸として機能し、下側回転軸４３がフィルタ３を巻き取る巻き取り側軸として機能する。その結果、フィルタ３が上側回転軸４２側から下側回転軸４３側に向かって移動するフィルタ３の巻き取り動作が行われる。フィルタ３が移動する際に、フィルタ３に接触するように配置されたブラシ（塵埃除去手段）５１が駆動されることによって、フィルタ３に付着した塵埃が除去される。
【００３６】
また、このフィルタ機構１０では、第１駆動機構３１の駆動モータ３３及び第２駆動機構３２の駆動モータ３５が、上記の場合と逆方向に駆動されることによって、下側回転軸４３がフィルタ３を送り出す送り出し側として機能し、上側回転軸４２がフィルタ３を巻き取る巻き取り側軸として機能する。その結果、フィルタ３が下側回転軸４３側から上側回転軸４２側に向かって移動するフィルタ３の逆方向への巻き取り動作が行われる。
【００３７】
上側案内部材４４は、フィルタ３を案内する部材であり、図５（ａ）に示すように、上側回転軸４２よりも第１壁部２４側に配置されている。そして、フィルタ３は、上側案内部材４４と第１壁部２４との間を通過したあとで、上側回転軸４２に巻回される。上側案内部材４４は、第１壁部２４に近接するように配置されており、上側案内部材４４と上側回転軸４２との間を１枚のフィルタが通過した状態において、フィルタ３と第１壁部２４との間には、隙間がほとんどないようにされている（隙間が適切な大きさに保たれている）。その結果、フィルタ３と第１壁部２４との間の隙間から空気流が通過したり、下流側に塵埃が落下しないようになっている。
【００３８】
上側案内部材４４は、水平方向（左右方向）に沿って延びた回転可能な軸部材であり、フィルタ３の巻き取り動作に伴って回転する。この上側案内部材４４は、断面視において、外周面に複数（本実施形態では４つ）の凹部４４ａが形成されており、上側案内部材４４に接触するフィルタ３の面積が小さくされている。その結果、上側案内部材４４がフィルタ３の巻き取り又は送り出しの抵抗になるのが抑制されている。また、上側案内部材４４は、巻き取り最大時における上側回転軸４２のフィルタ巻回径の最も第１壁部２４に近い部分よりも、第１壁部２４側に配置されている。
【００３９】
下側案内部材４５は、フィルタ３を案内する部材であり、図５（ｂ）に示すように、下側回転軸４３よりも第２壁部５２側に配置されている。この下側案内部材４５は、フィルタガイド４１と一体に形成され、断面視の形状がＵ字状であって、水平方向（左右方向）に沿って延びている。フィルタ３は、下側案内部材４５と第２壁部５２との間を通過したあとで、下側回転軸４３に巻回される。下側案内部材４５は、第２壁部５２に近接するように配置されており、下側案内部材４５と下側回転軸４３との間を１枚のフィルタが通過した状態において、フィルタ３と第２壁部５２との間には、隙間がほとんどないようにされている（隙間が適切な大きさに保たれている）。その結果、フィルタ３と第２壁部５２との間の隙間から空気流が通過したり、下流側に塵埃が侵入しないようになっている。この下側案内部材４５は、巻き取り最大時における下側回転軸４３のフィルタ巻回径の最も第２壁部５２に近い部分よりも、第２壁部５２側に配置されている。
【００４０】
フィルタ３のうち、上側案内部材４４と下側案内部材４５との間の部分、すなわち、塵埃を除去するフィルタとして機能する部分が、吸込口２ａに対向するように延在する延在部分３ａである。そして、上側回転軸４２及び下側回転軸４３は、延在部分３ａよりも風下側（熱交換器５側）に配置されている。詳しくは、上側回転軸４２は、フィルタ３の延在部分３ａよりも下方に配置され、下側回転軸４３は、フィルタ３の延在部分３ａよりも後方に配置される。
【００４１】
また、図５（ａ）、（ｂ）に示すように、巻回されたフィルタ３と、フィルタ３の延在部分３ａとが接触することがないように、上側回転軸４２の軸中心と延在部分３ａとの距離Ｌ１は、巻き取り最大時における上側回転軸４２のフィルタ巻回径Ｒａよりも大きくされている。また、同様に、下側回転軸４３の軸中心と延在部分３ａとの距離Ｌ２は、巻き取り最大時における下側回転軸４３のフィルタ巻回径Ｒｂよりも大きくされている。フィルタ巻回径Ｒａは、上側回転軸４２の軸半径ｒａ１と、上側回転軸４２の周囲に巻回されたフィルタ厚さｒａ２との合計であり、フィルタ巻回径Ｒｂは、下側回転軸４３の軸半径ｒｂ１と、下側回転軸４３の周囲に巻回されたフィルタ厚さｒｂ２との合計である。
【００４２】
また、巻回されたフィルタ３と上側案内部材４４とが接触することがないように、上側回転軸４２の軸中心と上側案内部材４４の外周面との距離は、巻き取り最大時における上側回転軸４２のフィルタ巻回径Ｒａよりも大きくされている。また、巻回されたフィルタ３と下側案内部材４５とが接触することがないように、下側回転軸４３の軸中心と下側案内部材４５の外周面との距離は、巻き取り最大時における下側回転軸４３のフィルタ巻回径Ｒｂよりも大きくされている。
【００４３】
上記のように構成されたフィルタ機構１０において、フィルタユニット４０は、ケーシング２の前面が開いた状態において、メインガイド２０から離れて、前方に取り外される。詳しくは、下側回転軸４３及び下側案内部材４５が配置されるフィルタユニット４０の下端側が、いったん上（上斜め前方）に持ち上げられたあとで、フィルタユニット４０全体が前方に引っ張られることにより取り外される。
【００４４】
図６（ａ）、（ｂ）に示すように、上側回転軸４２のローラギア４２ａに接続される駆動ギア（駆動部）３４、および、下側回転軸４３のローラギア４３ａに接続される駆動ギア（駆動部）３６は、それぞれ、上側回転軸４２（ローラギア４２ａ）及び下側回転軸４３（ローラギア４３ａ）の下方かつケーシング２の背面側に配置されている。したがって、フィルタユニット４０がメインガイド２０から取り外される際に、駆動ギア３４及び駆動ギア３６がフィルタユニット４０の取り外しの邪魔にならないようにされている。なお、駆動ギア３４及び駆動ギア３６が、上側回転軸４２及び下側回転軸４３の下方に配置されるとは、駆動ギア３４及び駆動ギア３６の軸中心が、それぞれ、上側回転軸４２及び下側回転軸４３の軸中心よりも下方に配置されることを意味する。
【００４５】
また、駆動ギア３４及び駆動ギア３６を駆動する駆動モータ３３及び駆動モータ３５も、それぞれ、上側回転軸４２（ローラギア４２ａ）及び下側回転軸４３（ローラギア４３ａ）の下方かつケーシング２の背面側に配置されている。
【００４６】
なお、第１壁部２４は、図４に示すように、断面視において、フィルタ３の延在部分３ａの延在方向外側（背面側）において、上下方向に沿って配置され、第２壁部５２は、図４に示すように、断面視において、フィルタ３の延在部分３ａの延在方向外側（下方側）において、水平に配置されている。また、本発明において、上側回転軸４２が第１壁部２４の近傍に配置されるとは、上側回転軸４２と第１壁部２４との距離が、フィルタ３の延在部分３ａ（塵埃を除去するフィルタ３として機能する部分）の長さに対して十分に小さい位置（例えば、１０分の１以下）に配置されることを意味する。また、下側回転軸４３が第２壁部５２の近傍に配置されるとは、下側回転軸４３と第２壁部５２との距離が、フィルタ３の延在部分３ａ（塵埃を除去するフィルタ３として機能する部分）の長さに対して十分に小さい位置（例えば、１０分の１以下）に配置されることを意味する。
【００４７】
［本実施形態の空気調和機の特徴］
本実施形態の室内機（空気調和機）１には、以下の特徴がある。
【００４８】
本実施形態の室内機１では、フィルタ３が巻回される回転軸（上側回転軸４２、下側回転軸４３）よりも壁部（第１壁部２４、第２壁部５２）側に、フィルタ３を案内する案内部材（上側案内部材４４、下側案内部材４５）が配置されており、フィルタ３が、案内部材と壁部との間を通過したあとで、回転軸に巻回されるので、回転軸のフィルタ巻回径に影響されることなく、フィルタ３と壁部との隙間を適切な大きさに保つことができる。したがって、回転軸に巻回されるフィルタ３と壁部との間の隙間が大きくなって、吸込口２ａから吸い込まれた空気がフィルタ３を通過せずに当該隙間を通過したり、当該隙間から塵埃が風下側に落下するのを防止できる。
【００４９】
また、本実施形態の室内機１では、上側案内部材４４は、回転可能な軸部材であるので、上側案内部材４４がフィルタ３の巻き取り又は送り出しの抵抗になるのを抑制できる。
【００５０】
また、本実施形態の室内機１では、吸込口２ａに対向するように配置されたフィルタ３よりも風下側に回転軸（上側回転軸４２、下側回転軸４３）が配置されるので、回転軸に巻回されるフィルタ３に塵埃が付着するのを防止できる。
【００５１】
また、本実施形態の室内機１では、フィルタ３が取り外される際に、駆動部（駆動ギア３４、駆動ギア３６）が取り外しの邪魔になるのを防止できる。
【００５２】
また、本実施形態の室内機１では、巻き取られたフィルタ３と、吸込口２ａに対向するように配置されたフィルタ３とが接触するのを防止できる。
【００５３】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００５４】
上述の実施形態では、フィルタ３の両端が回転軸に巻回されるとともに、２つの回転軸のそれぞれ近傍に、案内部材が配置される場合について説明したが、案内部材は、２つの回転軸のいずれか一方の近傍にあればよい。
【００５５】
また、上述の実施形態では、フィルタ３の両端が回転軸に巻回される場合について説明したが、フィルタの一端のみが回転軸に巻回されるものであってもよい。
【００５６】
また、上述の実施形態では、案内部材（上側案内部材４４）が、回転可能な軸部材である場合について説明したが、案内部材は、例えば下側案内部材４５のように、回転不可のものであってもよい。
【００５７】
また、上述の実施形態では、第１壁部２４が、フィルタ３の延在部分３ａの延在方向外側（背面側）において上下方向に沿って配置される場合について説明したが、上下方向に沿って配置されてなくてもよいし、フィルタ３の延在部分３ａの延在方向外側に配置されていなくてもよい。例えば、第１壁部は、フィルタの延在部分の延在方向に沿って配置されてもよい。
【００５８】
また、上述の実施形態では、第２壁部５２が、フィルタ３の延在部分３ａの延在方向外側（下方側）において水平に配置される場合について説明したが、水平に配置されてなくてもよいし、フィルタ３の延在部分３ａの延在方向外側に配置されていなくてもよい。例えば、第２壁部は、フィルタの延在部分の延在方向に沿って配置されてもよい。
【００５９】
また、上述の実施形態では、駆動部が、回転軸の下方かつケーシング２の背面側に配置される場合について説明したが、駆動部が、回転軸の鉛直下方に配置されてもよい。
【００６０】
また、上述の実施形態では、回転軸がフィルタ３の延在部分３ａよりも風下側に配置される場合について説明したが、風上側に配置されてもよい。
【００６１】
また、上述の実施形態では、回転軸の軸中心と、延在部分３ａとの距離Ｌ１、Ｌ２が、巻き取り最大時における回転軸のフィルタ巻回径Ｒａ、Ｒｂよりも大きい場合について説明したが、同じであってもよいし、小さくてもよい。
【産業上の利用可能性】
【００６２】
本発明を利用すれば、フィルタと壁部との間の隙間を適切な大きさに保つことができる。
【符号の説明】
【００６３】
１  室内機
２  ケーシング
２ａ  吸込口
３  フィルタ
３ａ  延在部分
２４  第１壁部
３４、３６  駆動ギア（駆動部）
４２  上側回転軸
４３  下側回転軸
４４  上側案内部材
４５  下側案内部材
５１  ブラシ（塵埃除去手段）
５２  第２壁部
【図１】
2016125702.tif 000003
【図２】
2016125702.tif 000004
【図３】
2016125702.tif 000005
【図４】
2016125702.tif 000006
【図６】
2016125702.tif 000007
【図５】
2016125702.tif 000008